(57)【要約】【課題】  器具本体内および前面カバー内への虫の侵入が抑制可能な照明器具を提供する。【解決手段】  照明器具１は、表面側に主光源１６および背面側に青色光を放射する補助光源１８が設けられた器具本体２と、複数の開口３４，３５を有するように器具本体２の少なくとも背面側を離間して覆うとともに、補助光源１８の放射光が照射される背面カバー体３と、主光源１６および補助光源１８を点灯する点灯装置４と、主光源１６を覆うように器具本体２に設けられた透光性の前面カバー５と、を具備している。【選択図】図１
2015201265.tif 000002
【特許請求の範囲】
【請求項１】
表面側に主光源および背面側に青色光を放射する補助光源が設けられた器具本体と；
複数の開口を有するように前記器具本体の少なくとも背面側を離間して覆うとともに、前記補助光源の放射光が照射される背面カバー体と；
前記主光源および前記補助光源を点灯する点灯装置と；
前記主光源を覆うように前記器具本体に設けられた透光性の前面カバーと；
を具備していることを特徴とする照明器具。
【請求項２】
前記背面カバー体は、その内面が青色光を反射する反射面に形成されていることを特徴とする請求項１記載の照明器具。
【請求項３】
前記器具本体の背面側に間接光光源を有し、前記補助光源は、前記間接光光源の一部であり、前記背面カバー体は、少なくとも前記間接光光源の放射光を透過する透光性を有することを特徴とする請求項１または２記載の照明器具。
【請求項４】
前記補助光源は、３８０〜５７０ｎｍの光を放射することを特徴とする請求項１ないし３いずれか一記載の照明器具。
【発明の詳細な説明】
【技術分野】
【０００１】
本発明の実施形態は、防虫機能を有する照明器具に関する。
【背景技術】
【０００２】
例えば天井面に直付けや吊り下げられる照明器具は、前面カバー内に虫が侵入し、行き場を失った虫の死骸が前面カバーの内面側に堆積し、前面カバーに影となって現れることがある。これに対し、器具本体と天井面との隙間を保護材等で遮蔽する防虫対策が講じられている（例えば特許文献１参照。）。また、器具本体の取付穴や電源線の挿入穴等の開口には、パッキンやシール材を設けるなどして防虫対策が行われている。
【先行技術文献】
【特許文献】
【０００３】
【特許文献１】特開平６−９６６１３号公報（第２頁、第１図）
【発明の概要】
【発明が解決しようとする課題】
【０００４】
前面カバーは、通常、器具本体に着脱可能に取り付けられる構造であるので、前面カバーと器具本体との隙間から前面カバー内に虫が侵入しやすいという問題がある。そして、前面カバーと器具本体の隙間をシール材などで塞ぐと、前面カバーが器具本体に固着することになり、照明器具の商品性を損なうという問題がある。
【０００５】
本実施形態は、器具本体内および前面カバー内への虫の侵入が抑制可能な照明器具を提供することを目的とする。
【課題を解決するための手段】
【０００６】
本実施形態の照明器具は、器具本体、背面カバー体、点灯装置および前面カバーを有して構成される。
【０００７】
器具本体は、表面側に主光源および背面側に青色光を放射する補助光源が設けられる。背面カバー体は、複数の開口を有するように器具本体の少なくとも背面側を離間して覆うとともに、補助光源の放射光が照射されるように設けられる。
【０００８】
点灯装置は、主光源および補助光源を点灯するように形成される。前面カバーは、透光性を有し、主光源を覆うように器具本体に設けられる。
【発明の効果】
【０００９】
本実施形態の照明器具によれば、背面カバー体に照射される補助光源の青色光に誘われて開口から虫が侵入し、侵入した虫は、やがて開口から外部空間に出て行くので、器具本体内および前面カバー内への虫の侵入が抑制されることが期待できる。
【図面の簡単な説明】
【００１０】
【図１】本発明の実施形態における照明器具の天井面に取り付けられた状態の概略断面図である。
【図２】同上、照明器具の背面カバー体を取り外した状態の背面側の概略斜視図である。
【図３】同上、補助光源の発光スペクトル図である。
【図４】同上、人と虫の視感度を示すスペクトル図である。
【発明を実施するための形態】
【００１１】
以下、本発明の実施形態について、図面を参照して説明する。なお、図面において、同一部分には同一符号を付して重複した説明は省略する。
【００１２】
本実施形態の照明器具１は、図１に示すように、器具取付面に設置された配線器具としての引掛けシーリングボディ１１に取付けられて使用される一般住宅用のシーリングライトであり、室内の照明を行う。照明器具１は、器具本体２、背面カバー体３、点灯装置４および前面カバー５を有して構成されている。さらに、照明器具１は、取付部６、光センサ７、カバー部材８および間接光光源部９を有している。また、器具取付面としての天井面１０に設置された引掛けシーリングボディ１１に電気的かつ機械的に接続されるアダプタ１２を有している。このような照明器具１は、丸形の円形状の外観に形成され、前面側を光の照射面とし、背面側を天井面１０への取付面としている。
【００１３】
器具本体２は、冷間圧延鋼板等の金属材料の平板から円形状に形成された熱伝導性を有するシャーシであり、略中央部に、取付部６が配置される円形状の開口１３が形成されている。この開口１３は、円形状の一部が外方に突出して取付部６の外形と略等しい形状に形成されている。器具本体２は、開口１３の外周側に、前面側に凹部を形成する円形環状の突出部１４が形成されている。この突出部１４によって形成される凹部には、前面カバー５が着脱可能に取付けられる受金具１５が配置されている。そして、器具本体２は、表面側に主光源１６を有する主光源部１７および背面側に補助光源１８を有する間接光光源部９が設けられている。
【００１４】
主光源部１７は、基板２０に複数個の主光源１６を実装してなる。基板２０は、所定の幅寸法を有した円弧状の４枚の基板２０が繋ぎ合わされるように配設されて全体として略サークル状に形成されている。つまり、４枚の分割された基板２０から構成されている。そして、基板２０は、絶縁材であるガラスエポキシ樹脂の平板からなり、表面側には銅箔によって配線パターンが形成されている。主光源１６は、この配線パターンに電気的に接続されるようになっている。また、基板２０の表面には反射層として作用する白色のレジスト層が施されている。
【００１５】
主光源１６は、ＬＥＤであり、表面実装型のＬＥＤパッケージである。このＬＥＤパッケージが複数個サークル状の基板２０の周方向に沿って、複数列、本実施形態では、半径の異なる略同心円の周上に３列に亘って実装されている。そして、内周側の列および外周側の列に実装されているＬＥＤパッケージには、発光色が昼白色のものと電球色のものとが用いられており、これらが円周上に略等間隔を空けて交互に並べられて配設されている。また、中間の列に実装されているＬＥＤパッケージには、赤色、緑色、青色に発光するものが用いられている。これら赤色、緑色、青色に発光するＬＥＤパッケージは、円周上に順次、赤色、緑色、青色と連続的に略等間隔を空けて配置されている。主光源部１７の前面側には、光源部カバー２１が配設されている。光源部カバー２１は、例えば、ポリカーボネートやアクリル樹脂等の絶縁性を有する透明合成樹脂からなり、主光源１６の配置に沿って略サークル状に一体的に形成されていて、主光源１６を含めて基板２０の全面を覆うように配設されている。
【００１６】
間接光光源部９は、器具本体２の背面側に配設されていて、取付部６の周囲に位置して複数個配設されており、図２に示すように、基板２２と、この基板２２に実装された複数個の補助光源１８および複数個の間接光光源２３とを有している。基板２２は、略長方形状の平板に形成されており、補助光源１８および間接光光源２３が基板２２の長手方向に沿って直線状に並べられて実装されている。補助光源１８は、基板２２の長手方向の中間に設けられ、間接光光源２３は、基板２２の長手方向の両端側に設けられている。
【００１７】
そして、基板２２は、点灯装置カバー２４の側壁２４ａにおける４箇所に取付けられている。点灯装置カバー２４は、略四角形に形成されており、基板２２は、側壁２４ａにおける直線状の平坦面に取り付けられている。また、基板２２の取付部をなす側壁２４ａは、前面側に向かって拡開する傾斜状に形成されている。このため、基板２２は、斜め上方、つまり、天井面１０方向に向けられることとなり、補助光源１８および間接光光源２３から出射される光は、天井面１０方向に向かって照射されるようになっている。各間接光光源部９は、箱状の透光性のカバー２５に覆われている。
【００１８】
補助光源１８は、青色光を放射するＬＥＤであり、表面実装型のＬＥＤパッケージである。図３に示すように、補助光源１８は、例えば４５０ｎｍ近傍にピーク波長を有する３８０〜５７０ｎｍの光を放射するものが用いられている。補助光源１８は、防虫用光源となっている。また、間接光光源２３は、例えば電球色の光を放射するものであり、表面実装型のＬＥＤパッケージである。補助光源１８および間接光光源２３は、点灯装置４に接続されて、それぞれ点灯制御されるようになっている。
【００１９】
点灯装置４は、図１に示すように、回路基板２６と、この回路基板２６に実装された回路部品２７とを備えている。回路基板２６は、ガラスエポキシ樹脂等から略四角形状に形成され、中央部に不図示の切り欠き部が形成されている。切り欠き部は、円形状をなし、その一部が外方に突出するように連続して切り欠かれて形成され、取付部６が挿通される部分となっている。
【００２０】
回路基板２６には、アダプタ１２が電気的に接続されて、アダプタ１２を介して商用交流電源に接続される。点灯装置４は、交流電源を受けて直流出力を生成し、リード線を介してその直流出力を主光源１６、補助光源１８および間接光光源２３にそれぞれ供給し、主光源１６、補助光源１８および間接光光源２３をそれぞれ点灯制御するように形成されている。
【００２１】
そして、点灯装置４は、点灯装置カバー２４に取り付けられ覆われて、器具本体２の背面側に配置されている。回路基板２６は、回路部品２７が前面側に向けられて取り付けられている。
【００２２】
点灯装置カバー２４は、冷間圧延鋼板等の金属材料によって略四角形の短筒状に形成され、図２に示すように、側壁２４ａが前面側に向かって拡開するように傾斜状をなしており、背面壁２４ｂの中央部には、開口２４ｃが形成されている。点灯装置カバー２４は、前面側のフランジが器具本体２であるシャーシの突出部２８に載置されるとともに、ねじ止めされ熱的に結合されて取り付けられている。そして、背面壁２４ｂの外周部には、背面カバー体３が取り付けられる円柱体２９が立設されている。本実施形態では、円柱体２９は、周方向に等間隔に４個が設けられており、頂面には、ねじが螺着されるねじ孔３０が設けられている。
【００２３】
背面カバー体３は、図１に示すように、少なくとも器具本体２の背面側を覆う天板部３１および傾斜部３２を有する円錐台に形成されている。天板部３１の中央部には、シーリングボディ１１を挿通する円形状の開口３３が形成されている。そして、背面カバー体３は、点灯装置カバー２４の背面壁２４ｂに設けられた円柱体２９に不図示のねじにより取り付けられている。これにより、器具本体２の背面側および点灯装置カバー２４の背面壁２４ｂと離間して、器具本体２の背面側との間で複数の開口３４および開口３５が設けられている。また、背面カバー体３は、間接光光源部９の補助光源１８の放射光が照射されるように設けられている。
【００２４】
開口３４は、器具本体２の外周部に周回に亘って設けられ、開口３５は、天井面１０に設けられた引掛けシーリングボディ１１との間で周回に亘って設けられている。また、天板部３１と天井面１０との間は、相応の空間になっている。開口３４，３５は、通気の出入口となり、器具本体２の背面側と背面カバー体３との間は、通気の空間となっている。
【００２５】
背面カバー体３は、本実施形態では、透光性の合成樹脂、例えばポリカーボネート樹脂からなり、内面３ｂの少なくとも一部に、補助光源１８から放射された青色光を反射し、間接光光源２３から放射された光を透過する不図示の選択膜が形成されている。
【００２６】
そして、アダプタ１２の前面側には、センター部材３６が配設されている。センター部材３６は、ポリブチレンテレフタレート（ＰＢＴ）樹脂等の合成樹脂材料で作られ、略短円筒状に形成されており、中央部に引掛けシーリングボディ１１に対向する開口３７を有している。また、開口３７の周囲には、環状の空間部３８が形成されていて、この空間部３８には、光センサ７が配設されている。さらに、センター部材３６の前面壁には、光センサ７の受光部と対向する受光窓３９が形成されている。センター部材３６は、背面側のフランジが光源部カバー２１を介してシャーシにねじ止めされて取付けられている。
【００２７】
取付部６は、アダプタガイドであり、アダプタ１２が挿通し係合する部材であり、照明器具１を天井面１０に取付けるための部材である。アダプタガイドは、略円筒状に形成され、中央部には、アダプタ１２が挿通し、係合する係合口４０が設けられている。このアダプタガイドは、器具本体２の中央部に形成された開口１３に対応して配設されている。
【００２８】
光センサ７は、照度センサであり、フォトダイオード等のセンサ素子からなっていて、周囲の明るさを検知して検出信号を出力するように動作する。これにより、周囲が明るい場合には、主光源１６を調光（減光）して点灯するように制御する。光センサ７は、基板に実装され、その受光部が受光窓３９に対向するようにセンター部材３６の空間部３８内に配設されて取り付けられている。
【００２９】
そして、前面カバー５は、セードとも称されるものであり、アクリル樹脂等の透光性を有し、乳白色を呈する拡散性を備えた材料から略円形状に形成されており、中央部には円形状の開口４１が形成されている。また、前面カバー５の外周部には、前面カバー化粧枠５ａが取り付けられていて、この前面カバー化粧枠５ａは、アクリル樹脂等からなる透明材料から形成されている。
【００３０】
そして、前面カバー５は、主光源部１７を含めた器具本体２の前面側を覆うように器具本体２の外周縁部に着脱可能に取り付けられる。具体的には、前面カバー５を回動することによって、前面カバー５に設けられた取付金具４２を器具本体２の突出部１４によって形成された凹部に設けられた受金具１５に係合することにより取り付けられる。
【００３１】
また、前面カバー５を取り外す場合には、前面カバー５を取付時とは反対方向に回動して、取付金具４２と受金具１５との係合を解くことにより、取り外すことができる。
【００３２】
そして、カバー部材８は、透明のアクリル樹脂等の材料から円形状に形成されている。このカバー部材８は、前面カバー５の開口４１に対応し、センター部材３６の前面壁に取付けられて、センター部材３６の開口３７を覆って閉塞するように配設される。また、カバー部材８には、光センサ７の受光窓３９と対向する円形状の不図示の透過部が形成されている。
【００３３】
そして、アダプタ１２は、天井面１０に設置された引掛けシーリングボディ１１に、上面側に設けられた引掛刃によって電気的かつ機械的に接続されるもので略円筒状をなし、周壁の両側には一対の係止部４３が内蔵されたスプリングによって常時外周側へ突出するように設けられている。この係止部４３は、下面側に設けられた不図示のレバーを操作することにより没入するようになっている。また、このアダプタ１２からは、点灯装置４へ接続する図示しない電源コードが導出されていて、点灯装置４とコネクタを介して接続されるようになっている。
【００３４】
次に、本実施形態の作用について述べる。
【００３５】
照明器具１の天井面１０への取付状態において、点灯装置４に電力が供給されると、主光源部１７の主光源１６が通電されて、各主光源１６が点灯する。主光源１６から前面側へ出射された光は、光源部カバー２１を透過し、前面カバー５によって拡散され透過して外方へ照射される。また、間接光光源部９が通電されると、間接光光源２３が点灯し、間接光光源２３から斜め上方に出射された光は、透光性のカバー２５を透過し、さらに背面カバー体３を透過して、主として天井面１０に照射される。これにより、天井面１０は、明るくなる。
【００３６】
そして、本実施形態では、主光源１６または間接光光源２３が点灯されるときには、補助光源１８が点灯される。補助光源１８から青色光が放射される。青色光は、透光性のカバー２５を透過して斜め上方に照射され、前面カバー体３の内面３ｂに入射する。ここで、間接光光源部９は、略四角形に形成された点灯装置カバー２４の４箇所の側壁２４ａに取り付けられているので、青色光は、器具本体２の周回に亘って器具本体２の外周部側の斜め上方に照射される。そして、青色光は、前面カバー体３の内面３ｂで反射されて、器具本体２の周回に亘り、器具本体２と前面カバー体３との間の空間（以下、通気の空間と称する。）に散乱される。当該通気の空間は、青色光で照明される。
【００３７】
虫は、図４に示すように、紫外域から可視領域に亘って視感度を有している。特に、紫外域での視感度が大きい。補助光源１８から放射される青色光は、図３に示すように、４５０ｎｍ近傍にピーク波長を有する３８０〜５８０ｎｍの光であるので、虫の視感度の長波長側で重複している。
【００３８】
開口３４は、器具本体２の外周部の周回に亘って設けられ、開口３５は、引掛けシーリングボディ１１の周回に亘って設けられているので、照明器具１の周囲に寄って来た虫は、通気の空間内の青色光に誘われて、開口３４または開口３５から通気の空間に侵入しやすい。特に、器具本体２の周回に亘る開口３４は、その開口面積が大きいので、虫は、開口３４から通気の空間内に侵入しやすいものである。すなわち、可視光に誘われて、前面カバー５と、器具本体２、前面カバー化粧枠５ａおよびカバー部材８などとの小さな隙間から前面カバー３内および器具本体２内に侵入するよりは、青色光に誘われて、大きな開口３４，３５から通気の空間に侵入するようになる。
【００３９】
そして、通気の空間に侵入した虫は、例えば食を求めて、やがて開口３４または開口３５から外部空間に出ていく。器具本体２の背面側には、虫の死骸が出にくいものとなる。
【００４０】
本実施形態の照明器具１によれば、補助光源１８の青色光に誘われて開口３４または開口３５から通気の空間内に虫が侵入し、侵入した虫は、やがて開口３４または開口３５から外部空間に出て行くので、器具本体２内および前面カバー３内への虫の侵入が抑制されて、虫の死骸等による照明光の影を防止できるという効果を有する。
【００４１】
また、背面カバー体３の内面３ｂが青色光を反射する反射面に形成されていることにより、器具本体２と背面カバー体３との間の空間の全領域に補助光源１８から放射された青色光を散乱するように照射できて、これにより、虫を誘いやすくできるという効果を有する。
【００４２】
また、補助光源１８が間接光光源２３の一部であることにより、間接光照明と防虫用照明の両方を行うことができるという効果を有する。
【００４３】
また、補助光源１８は、３８０〜５７０ｎｍの光を放射するので、照明光に紫外光の短波長側が含まれなく、人に対する安全性を向上できるという効果を有する。
【００４４】
なお、本実施形態において、間接光光源２３を設けないときは、背面カバー体３は、不透過性の合成樹脂や金属板などで形成されてもよい。また、背面カバー体３は、青色光を透過する透光性を有して、器具本体２と背面カバー体３との間の空間に加えて、背面カバー体３と天井面１０との間にも虫を誘うようにしてもよい。
【００４５】
なお、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００４６】
１…照明器具、  ２…器具本体、  ３…背面カバー体、  ４…点灯装置、  ５…前面カバー、  １６…主光源、  １８…補助光源、  ３４，３５…開口
【図１】
2015201265.tif 000003
【図２】
2015201265.tif 000004
【図３】
2015201265.tif 000005
【図４】
2015201265.tif 000006